(57)【要約】      （修正有）【課題】複数のタッチペンのそれぞれが複数の表示画面に割り当てられており、１つのタッチペンが故障した場合でも、利便性が損なわれない情報入力装置を実現する。【解決手段】情報入力装置１００は、複数の画像表示部上の任意の点を指定する複数のタッチペンと、上記複数の画像表示部のそれぞれに割り当てられており、画像表示部における所定の受付範囲内で、上記タッチペンによる上記任意の点の指定を受付ける複数の入力制御部とを備え、上記複数の入力制御部のそれぞれは、指定を受付けるタッチペンが定められており、上記タッチペンの故障を検出する故障検出部８０と、特定のタッチペンの故障が検出されると、故障していないタッチペンからの指定を受付ける入力制御部の上記受付範囲を、特定のタッチペンからの指示を受付ける受付範囲の少なくとも一部を含むように変更する有効範囲設定部８２とを備える。【選択図】図１
2006293434.tif 000002
【特許請求の範囲】
【請求項１】
複数の表示領域を有する表示装置における当該複数の表示領域上の任意の点を指定する複数の入力手段と、
上記複数の表示領域のそれぞれに割り当てられているとともに、当該表示領域における所定の受付範囲内で、上記入力手段による上記任意の点の指定を受付ける複数の受付手段とを備え、
上記複数の受付手段のそれぞれには、上記指定を受付ける入力手段が定められており、
上記入力手段の故障を検出する検出手段と、
上記検出手段によって特定の入力手段の故障が検出されると、上記故障した入力手段以外の故障していない入力手段からの指定を受付ける受付手段の上記受付範囲を、故障した入力手段からの指定を受付ける受付範囲の少なくとも一部を含むように変更する受付範囲変更手段とを備えることを特徴とする情報入力装置。
【請求項２】
上記入力手段は、スイッチを備えているとともに、上記受付手段は、当該スイッチのＯＮ／ＯＦＦによって上記指定の制御を行うタッチペンであることを特徴とする請求項１記載の情報入力装置。
【請求項３】
請求項１または２のいずれか１項に記載の情報入力装置と、
複数の表示領域を有する表示装置と、
撮影手段によって得られた撮影画像とともに、情報入力装置を介して入力された情報を上記複数の表示領域に表示する表示制御手段と、
上記情報入力装置にて入力された画像と上記撮影画像とを合成する合成手段とを備えることを特徴とする写真撮影プリント装置。
【請求項４】
上記検出手段によって特定の入力手段の故障が検出されると、当該特定の入力手段が故障している旨を報知する報知手段を備えることを特徴とする請求項３記載の写真撮影プリント装置。
【請求項５】
表示制御手段は、上記受付範囲変更手段によって変更された受付範囲と同じ大きさになるように、上記表示領域における画像の表示範囲を変更するものであることを特徴とする請求項３記載の写真プリント装置。
【請求項６】
上記表示制御手段は、上記故障した入力手段による指定を受付ける受付手段と対応付けられている表示領域に表示された画像を消去することを特徴とする請求項３記載の写真プリント装置。
【請求項７】
請求項１または２のいずれか１項に記載の情報入力装置を動作させる情報入力装置の制御プログラムであって、コンピュータを上記の各手段として機能させるための制御プログラム。
【請求項８】
請求項３〜６のいずれか１項に記載の写真撮影プリント装置を動作させる写真撮影プリント装置の制御プログラムであって、コンピュータを上記の各手段として機能させるための制御プログラム。
【請求項９】
請求項７または８に記載の制御プログラムを記録した、コンピュータ読取り可能な記録媒体。
【発明の詳細な説明】
【技術分野】
【０００１】
本発明は、例えば、タッチペンやマウス等のポインティングデバイスによって入力される情報を入力する情報入力装置およびそれを備えた写真撮影プリント装置、制御プログラム、コンピュータ読取り可能な記録媒体に関するものである。
【背景技術】
【０００２】
従来より、例えば、タッチペン等の入力ペンを備えた座標入力装置によって取得された座標位置に、ユーザによって選択された画像を、液晶パネル等の表示装置に表示させる情報入力装置が知られている。
【０００３】
そして、上記情報入力装置を用いて、ユーザをカメラ等の撮影手段によって撮影し、当該撮影画像と、娯楽性を高めるためにユーザが入力ペン等によって入力したスタンプ画像や線画等の落書き画像とを合成して、この合成画像を印刷する写真撮影プリント装置が知られている（例えば、特許文献１、２参照）。
【０００４】
この上記写真撮影プリント装置において、ユーザが落書き画像を作成する際には、撮影画像が表示された表示画面上を、ユーザが上記タッチペンを用いて、なぞることにより落書き画像が形成される。
【０００５】
また、近年の写真撮影プリント装置では、複数の表示画面に撮影画像が表示され、複数のユーザが、タッチペンをそれぞれ用いて、落書き画像を作成している。この場合、特定の複数の表示画面には、当該表示画面に入力できるタッチペンがそれぞれ定められており、定められていないタッチペンで上記表示画面に落書き画像を形成することはできない。      
【０００６】
このとき、タッチペンが故障している場合には、ユーザは、タッチペンを操作した場合であっても、落書き画像を作成することができない。つまり、タッチペンが故障した場合には、このタッチペンに対応している表示画面に対しては、他のタッチペンを用いても落書き画像を形成することはできない。
【０００７】
そして、このタッチペンが故障しているか否かを検出する技術としては、例えば、特許文献３、４に開示されており、タッチペンが故障しているか否かを判断することはできる。
【特許文献１】特開２００４−１５３６１３公報（公開日：２００４年５月２７日）
【特許文献２】特開２００４−２１３２２１公報（公開日：２００４年７月２９日）
【特許文献３】特開２００４−３３４４８８公報（公開日：２００４年１１月２５日）
【特許文献４】特開２００３−２６３２７４公報（公開日：２００３年９月１９日）
【発明の開示】
【発明が解決しようとする課題】
【０００８】
しかしながら、上記従来の構成では、タッチペンの故障は検知できても、故障したタッチペンのみの入力が許可されている表示画面に対しては、落書き画像を作成することができないという問題を生じる。
【０００９】
そして、このような問題は、特に写真撮影プリント装置の場合は顕著に現れる。具体的には、写真撮影プリント装置では、撮影した撮影画像に対して落書き等の画像描画を施した後、印刷されることが通常に行われるが、この場合、画像描画を行うことができないと、全ての処理が中断することになる。すなわち、撮影画像を得ることができる場合でも、画像編集を行うことができないために、印刷を行うことができなくなり、利用者が満足できる状態に装置を稼動させることができない。
【００１０】
そして、従来の構成では、タッチペンの故障を検出しても、故障したタッチペンによる入力が許可されている表示画面はそのままの状態で放置されることになり、利便性が損なわれるという問題がある。
【００１１】
本発明は、上記の問題点に鑑みてなされたものであり、その目的は、複数のタッチペンのそれぞれが複数の表示画面に割り当てられている情報入力装置において、１つのタッチペンが故障した場合でも、利便性を損なわれない情報入力装置および写真撮影プリント装置を実現することにある。
【課題を解決するための手段】
【００１２】
本発明にかかる情報入力装置は、上記の課題を解決するために、複数の表示領域を有する表示装置における当該複数の表示領域上の任意の点を指定する複数の入力手段と、上記複数の表示領域のそれぞれに割り当てられているとともに、当該表示領域における所定の受付範囲内で、上記入力手段による上記任意の点の指定を受付ける複数の受付手段とを備え、上記複数の受付手段のそれぞれには、上記指定を受付ける入力手段が定められており、上記入力手段の故障を検出する検出手段と、上記検出手段によって特定の入力手段の故障が検出されると、上記故障した入力手段以外の故障していない入力手段からの指定を受付ける受付手段の上記受付範囲を、故障した入力手段からの指定を受付ける受付範囲の少なくとも一部を含むように変更する受付範囲変更手段とを備えることを特徴としている。
【００１３】
上記複数の表示領域とは、異なる情報を表示することができる領域を示しており、例えば、表示装置が有する１つの表示画面を複数の領域に分割することにより得られるものであってもよく、物理的に異なる複数の表示画面（例えば、２つのモニターを並列に並べたもの）のそれぞれを表示領域としてもよい。
【００１４】
上記の構成によれば、入力手段によって表示領域の任意の点が指定されると、上記受付手段は、上記表示領域における所定の受付範囲内で、上記入力手段による指定を受付ける。換言すると、当該受付手段には、当該入力手段による表示領域上の指定を受付ける受付範囲が予め定められている。また、上記受付手段は、複数の入力手段のうち、特定の入力手段からの指定のみを受付ける。
【００１５】
そして、特定の入力手段が故障した場合には、受付範囲変更手段は、上記特定の入力手段以外の他の入力手段からの指定を受付ける受付手段の受付範囲を変更する。つまり、特定の入力手段が故障した場合には、受付範囲変更手段は、故障していない入力手段からの指定を受付ける受付手段（故障した入力手段からの指定を受付ける受付手段とは異なる受付手段）の受付範囲を変更する。
【００１６】
そして、複数の入力手段のそれぞれが、複数の受付手段にそれぞれ割り当てられており、特定の入力手段が故障した場合には、他の入力手段の指定を受付ける受付手段の受付範囲を変更している。具体的には、受付範囲変更手段は、故障が検出された特定の入力手段からの指示を受付ける受付範囲の少なくとも一部を含むように、上記他の入力手段からの指定を受付ける受付手段の受付範囲を変更する。
【００１７】
従って、故障した入力手段からの入力（指定）を受付ける受付手段の受付範囲に相当する領域を、他の入力手段による指定を受付けることができるように、故障していない入力手段による指定を受付ける受付手段の受付範囲を変更することができる。つまり、特定の入力手段が故障した場合でも、当該特定の入力手段に割り当てられている受付範囲に相当する領域を、他の入力手段を用いて指定することができる。
【００１８】
これにより、特定の入力手段が故障したことにより、当該特定の入力手段のみの指定を受付ける受付手段と対応している表示領域に対して、情報の入力（指定）ができないという事態を防止することができる。
【００１９】
なお、上記受付範囲は、上記表示領域内であればよく、例えば、表示領域の一部のみを受付範囲に設定してもよく、表示領域全てを受付範囲としてもよい。
【００２０】
本発明にかかる情報入力装置において、上記入力手段は、スイッチを備えているとともに、上記受付手段は、当該スイッチのＯＮ／ＯＦＦによって上記指定の制御を行うタッチペンであってもよい。
【００２１】
上記の構成によれば、上記入力手段がスイッチを備えた入力手段であるので、表示領域の任意の点の指定を簡単に行うことができる。
【００２２】
本発明にかかる写真撮影プリント装置は、上記課題を解決するために、上記情報入力装置と、複数の表示領域を有する表示装置と、撮影手段によって得られた撮影画像とともに、情報入力装置を介して入力された情報を上記複数の表示領域に表示する表示制御手段と、上記情報入力装置にて入力された画像と上記撮影画像とを合成する合成手段とを備えることを特徴としている。
【００２３】
上記表示装置と情報入力装置とを用いて、ユーザは画像を作成することができる。具体的には、上記表示装置に撮影画像を表示して、その撮影画像に基づいて情報入力装置を用いて画像を作成している。そして、情報入力装置を介して入力された画像と撮影手段によって得られた撮影画像とを合成することにより、出力（印刷）すべき画像を生成することができる。
【００２４】
上記の構成とすることにより、例えば、タッチペン等の入力手段を用いて表示領域に表示された撮影画像に対して落書きする際に、入力手段が故障した場合であっても、他の入力手段を用いて故障した入力手段の代わりに操作することができるので、利便性を向上させることができる。つまり、入力手段が故障しても、他の入力手段を用いて情報の入力を行うことができるので、写真撮影プリント装置を停止させてメンテナンスを行わなくても、利用者の所望する操作を行うことができる。
【００２５】
本発明にかかる写真撮影プリント装置は、上記検出手段によって特定の入力手段の故障が検出されると、当該特定の入力手段が故障している旨を報知する報知手段を備えていてもよい。
【００２６】
上記の構成によれば、入力手段が故障した場合に、報知することができるので、入力手段の故障を迅速に把握することができる。
【００２７】
本発明にかかる写真撮影プリント装置において、表示制御手段は、上記受付範囲変更手段によって変更された受付範囲と同じ大きさになるように、上記表示領域における画像の表示範囲を変更する構成であってもよい。
【００２８】
上記の構成によれば、上記入力手段を介して入力された情報が、変更された受付範囲となるように表示している。これにより、例えば、受付範囲が広がった場合でも、当該受付範囲に対応するように撮影画像と情報入力装置を介して入力された情報とを表示することができる。
【００２９】
本発明にかかる写真撮影プリント装置において、上記表示制御手段は、上記故障した入力手段による指定を受付ける受付手段と対応付けられている表示領域に表示された情報を消去する構成であってもよい。
【００３０】
上記の構成によれば、入力手段の故障を検出すると、当該故障した入力手段からの指定を受付ける受付手段と対応している表示領域に表示された画像を消去している。これにより、タッチペンが故障して、情報の入力ができなくなった場合に、上記表示画面の任意の点の指定を受付けることができない表示領域に表示された画像を消去しているので、利用者は、入力できないことを知ることができる。
【００３１】
なお、上記情報入力装置および写真撮影プリント装置は、コンピュータによって実現してもよく、この場合には、コンピュータを上記各手段として動作させることにより上記情報入力装置および写真撮影プリント装置をコンピュータにて実現させる情報入力装置および写真撮影プリント装置の制御プログラムおよびそれを記録したコンピュータ読取り可能な記録媒体も本発明の範疇に入る。
【発明の効果】
【００３２】
本発明にかかる情報入力装置は、複数の表示領域を有する表示装置における当該複数の表示領域上の任意の点を指定する複数の入力手段と、上記複数の表示領域のそれぞれに割り当てられているとともに、当該表示領域における所定の受付範囲内で、上記入力手段による上記任意の点の指定を受付ける複数の受付手段とを備え、上記複数の受付手段のそれぞれは、上記指定を受付ける入力手段が定められており、上記入力手段の故障を検出する検出手段と、上記検出手段によって特定の入力手段の故障が検出されると、上記特定の入力手段以外の他の入力手段からの指定を受付ける受付手段の上記受付範囲を変更する受付範囲変更手段とを備える構成である。
【００３３】
従って、故障した入力手段からの入力（指定）を受付ける受付手段の受付範囲に相当する領域を、他の入力手段による指定を受付けることができるように、故障していない入力手段による指定を受付ける受付手段の受付範囲を変更することができる。つまり、特定の入力手段が故障した場合でも、当該特定の入力手段に割り当てられている受付範囲に相当する領域を、他の入力手段を用いて指定することができる。
【００３４】
これにより、特定の入力手段が故障したことにより、当該特定の入力手段のみの指定を受付ける受付手段と対応している表示領域に対して、情報の入力（指定）ができないという事態を防止することができる。
【発明を実施するための最良の形態】
【００３５】
本発明の一実施形態について図１ないし図９に基づいて説明すると以下の通りである。
【００３６】
本実施の形態にかかる情報入力装置は、表示領域上の任意の点を指定することができる複数のタッチペンと、複数の表示領域のそれぞれに割り当てられているとともに、上記タッチペンによる情報の入力を所定の受付範囲で受付ける複数の受付手段と、タッチペンが故障したことを検出する検出手段とを備え、上記受付手段のそれぞれには、指定を受付ける入力手段が定められており、上記タッチペンが故障した場合には、故障したタッチペンと対応している受付手段以外の他の受付手段の受付範囲を変更する受付範囲変更手段を備える構成である。
【００３７】
なお、以下の説明では、上記情報入力装置を一機能として備えた写真撮影プリント装置に関して説明する。
【００３８】
本実施の形態に係る写真撮影プリント装置は、利用者の写真を撮影する機能（撮影機能）、撮影した写真に対して落書きなどの編集を利用者に行わせる機能（編集機能）、及び編集された画像をプリントする機能（プリント機能）を備えているものである。なお、これらの機能は全て必須であるものではなく、例えばプリント機能が省かれた構成とすることも可能である。
【００３９】
（写真撮影プリント装置１の外観的構成）
まず、図２および図３を参照しながら、写真撮影プリント装置１の外観について説明する。図２は、本実施の形態に係る写真撮影プリント装置１の概略の構成を示す斜視図である。また、図３は、上記写真撮影プリント装置１の概略の構成を示す側面図である。図２、図３に示すように、写真撮影プリント装置１は、利用者を被写体として撮影するカメラユニット２（撮影部）を備える装置本体３と、被写体の背景となる背景カーテン４とが配備されている。なお、装置本体３から背景カーテン４までの周囲および上部は、外部からの光を遮断する遮光幕によって覆われる。これにより利用者の写真を撮影する撮影空間５が形成される。この写真撮影プリント装置１は撮影空間５にて編集処理も行われるものとするが、撮影空間５と編集処理を行う空間とが別々に設けられていてもかまわない。
【００４０】
装置本体３には、カメラユニット２、タッチパネル６（画像表示部６１）、硬貨投入口７、硬貨返却口８、撮影後のプリントが排出されるプリント排出口９が設けられている。また、装置本体３には、被写体を照明する照明装置１０として、蛍光灯、ストロボランプ、反射板（これらは、装置本体３内に設置されているため、図示せず）、および拡散板１１が配置されている。なお、照明装置１０の構成は上記に限定されるものではなく、撮影に最適な光が被写体に照射されるようになっていればよい。また、タッチパネル６付近にはタッチペン１２が設けられている。また、撮影空間５内には、スピーカ５９（図示せず）が配備されている。
【００４１】
また、写真撮影プリント装置１には、撮影空間５に利用者がいることを撮影空間５の外に向けて表示するためのランプ等が外側に設けられていてもかまわない。また、撮影空間５に荷物置スペースや荷物掛けフック等が設けられていると、利用者は荷物を視界内に入れることができるので、置き引きを防止することができる。なお、上記設置物の配置位置は図面のものに限定されない。
【００４２】
タッチパネル６は、例えば液晶表示素子などのフラットパネルディスプレイやＣＲＴ（cathode ray tube）等の表示面にタッチセンサを設けて構成されている。このタッチパネル６には、撮影処理および編集処理における各種メッセージや画像などが表示される。具体的には、タッチパネル６には、デモ画面、オープニング画面、課金処理指示画面、撮影処理および編集処理における各種操作内容等のメッセージや画像、落書きなどの画像編集処理時における編集対象の画像および各種編集ツールなどが表示される。また、撮影時の動画像等が表示される。これにより、カメラユニット２に向かって撮影ポーズをとる利用者は、リアルタイムで自身の姿を視認することができ、自身のポーズを確認しながら、撮影処理を行うことができる。
【００４３】
そして、タッチパネル６の近傍（図２ではタッチパネル６の左右）には、タッチペン１２が備えられている。利用者は、このタッチペン１２をタッチパネル６に接触させることによって、処理の進行に応じて表示されるボタンを選択したり、落書きなどの画像描画を行ったりすることが可能となる。ここで、図２に示すように、装置本体３には、タッチペン１２が、２つ設置されていることにより、２人の利用者が同時に落書き処理などを入力することができる。
【００４４】
そして、本実施の形態では、上記タッチペン１２は複数（ここでは２本）設けられている。これらのタッチペン１２を用いて、上記タッチパネル６を操作することにより、様々な処理を行うことができる。なお、上記タッチペン１２については後述する。
【００４５】
また、ここでは、一つのタッチパネル６を撮影処理用及び編集処理用として設けているが、それぞれ別に設けてもかまわない。
【００４６】
硬貨投入口７は、利用者が料金として所定金額の硬貨を投入するための投入口である。硬貨返却口８は、釣り銭が生じた場合や、硬貨が投入された後でリセットされた場合に、硬貨を利用者に対して返却するための返却口である。また、装置本体３の内部には、利用者から徴収した硬貨を蓄積する硬貨容器（図示せず）が設けられている。
【００４７】
プリント排出口９は、撮影処理および編集処理を終えた後に、後述のプリンタ３５（出力手段）によって画像がプリントされた写真プリント紙４２が排出される箇所である。
【００４８】
上記背景カーテン４は、撮影の背景を演出するものである。なお、背景カーテン４は、切換可能に複数設けられていてもよい。つまり、撮影処理時において、撮影における背景を利用者の好みに応じて演出でききるよう、複数の背景カーテン４を切換えることができるようになっていてもよい。この場合、例えば様々な色、あるいは様々な絵柄や模様の背景カーテン４を背景となる位置に用意しておき、これらを切換えることによって、利用者の好みに応じた背景を演出することを可能とする。この背景カーテン４は、モータによって機械制御によって切換えることができる自動式（モータ式）となっていてもよいし、利用者が上げたりスライドさせたりすることによって切換えることができる手動式になっていてもよい。
【００４９】
上記照明装置１０を構成している蛍光灯（図示せず）は、撮影時の照明として機能するとともに、通常時の撮影空間５の照明としても機能する。具体的には、蛍光灯は、撮影時にカメラユニット２が撮影するライブビューにおける光量、つまり、利用者が撮影の構図やポーズを考えている期間の光量、を確保する。それとともに、例えば、「写りの良い写真がとれそう」という印象を利用者に与えるといったような、照明による撮影空間５の演出を行う。ここでは、蛍光灯は、装置本体３内において、カメラユニット２の両側に配備される。
【００５０】
上記ストロボランプ（図示せず）は、撮影時の写真閃光灯として機能するものであり、装置本体３内において、カメラユニット２の両側に配備される。
【００５１】
上記反射板（図示せず）は、蛍光灯やストロボランプからの光をその反射するよう機能するものであり、光を拡散板１１の方向に導くように設置される。反射板は、反射面が、例えばステンレス等から構成され、形状としては、拡散板１１に光を集められるような形状であればよい。
【００５２】
上記拡散板１１は、反射板にて反射された光を拡散して撮影空間５に出射するよう機能するものである。拡散板１１は、例えば、薄い乳白色のアクリル板などによって構成されている。形状としては、本実施形態では、発光面が略平面状となっており、また、鉛直方向に長い長方形である。
【００５３】
なお、必要に応じて、照明装置１０からの光量を変化させたり、照明方向を変更したりしてもよい。
【００５４】
スピーカ５９は、利用者に対して各種操作上のガイダンス音声や効果音、ＢＧＭ（back ground music）などを出力するものである。
【００５５】
（写真撮影プリント装置１の機能的説明）
次に、上記写真撮影プリント装置１の機能的な構成について、図４を参照しながら説明する。なお、図４は、上記写真撮影プリント装置１の概略の構成を示すブロック図である。同図に示すように、写真撮影プリント装置１は、前記したカメラユニット２、背景カーテン４、タッチパネル６、タッチペン１２、スピーカ５９及び照明装置１０に加えて、制御装置２０、記憶装置３０、外部ディスクドライブ３１、電源装置３２、課金処理部３３、ＩＤタグリーダ／ライタ３４、プリンタ３５（画像出力部）、プリント紙ユニット４０、駆動制御部５０、画像合成部７２、描画アプリケーション７１、故障検出部８０、通信部、ＲＡＭ２２、およびＲＯＭ２１を備えている。
【００５６】
タッチパネル６は、静止画像、動画像、文字情報等を表示する画面である画像表示部６１および、利用者の操作入力を受け付けて情報を取得する操作入力部７３からなっている。操作入力部７３は、利用者の操作入力の受け付けに供され、例えば、操作ボタンとしてタッチパネル６上に表示される。このように操作入力部７３はタッチパネル６に表示されるように設けられていてもよいが、例えば、押しボタンとしてタッチパネル６外に設けられてもかまわない。
【００５７】
上記制御装置２０は、写真撮影プリント装置１内における上述した各種構成の動作を統括的に制御する。制御装置２０は、上記ユーザからの入力および後述する描画アプリケーション７１からの出力を制御する入出力ドライバ７０を備えている。なお、上記入出力ドライバ７０については後述する。
【００５８】
そして、上記制御装置２０は、例えばＰＣ（Personal Computer）ベースのコンピュータによって構成される。そして、各種構成の動作制御は、制御プログラムをコンピュータに実行させることによって行われる。このプログラムは、例えばＣＤ−ＲＯＭなどのリムーバブルメディア２９に記録されているものを読み出して使用する形態であってもよいし、ハードディスクなどにインストールされたものを読み出して使用する形態であってもよい。また、この制御装置２０がインターネットなどの通信ネットワークに接続された構成とする場合、この通信ネットワークを介して上記プログラムをダウンロードしてハードディスクなどにインストールして実行する形態なども考えられる。
【００５９】
上記記憶装置３０は、ハードディスクなどの不揮発性の記憶装置３０によって構成されるものである。この記憶装置３０に記憶される内容としては、上記した制御プログラム、ＯＳ（operating system）プログラム、およびその他各種プログラム、カメラユニット２における動作設定値、撮影した画像および編集した画像の画像データ等が挙げられる。カメラユニット２における動作設定値としては、装置出荷時やメンテナンス時等に設定されるホワイトバランスの値、撮影画像の明暗などを調整する際の画像処理に関する各種パラメータ値などが挙げられる。
【００６０】
外部ディスクドライブ３１は、ＣＤ−ＲＯＭ、ＣＤ−Ｒ、ＤＶＤ−ＲＯＭ、ＤＶＤ−ＲＡＭなどの外部ディスク（リムーバブルメディア２９）を読み書きするドライブ装置である。外部ディスクドライブ３１の代わりに、半導体メモリカードのリーダ／ライタなどを用いることもできる。なお、この外部ディスクドライブ３１が、上記記憶装置３０の代わりとして動作してもよい。
【００６１】
上記電源装置３２は、写真撮影プリント装置１内における上述した各種構成に対して電力供給を行うためのものである。
【００６２】
上記課金処理部３３は、硬化投入口からの代金投入、及び硬化返却口からの返却処理などを制御するものであり、利用者から徴収する課金に関する処理を行うものである。課金処理部３３による課金状況に応じて、制御装置２０が該当利用者に対する動作を制御する。
【００６３】
上記ＩＤタグリーダ／ライタ３４及びプリンタ３５は、プリント紙ユニット４０を構成しており、このプリント紙ユニット４０に対して、写真プリントの出力媒体となるプリント紙４２（プリント媒体）及びＩＤタグ４１がプリント紙ユニット４０としてセットで納入されるようになっている。
【００６４】
上記プリンタ３５は、出力すべき画像データが制御装置２０から送られてくると、その画像データに基づいてプリント紙４２に印刷を行うものである。このプリンタ３５としては、例えば昇華型プリンタ３５が用いられる。なお、昇華型プリンタ３５を用いる場合には、プリント紙４２及びＩＤタグ４１に加えて、昇華型用インクフィルムがセットとなって納入されることになる。
【００６５】
上記ＩＤタグリーダ／ライタ３４は、ＩＤタグ４１に記録されている各種識別情報を読み出して制御装置２０に出力する。ＩＤタグ４１は、メモリ機能を有するＩＣチップなどによって構成されるものである。上記識別情報としては、固有ＩＤ、用紙枚数、用紙種類、及び、インク固有の色情報（インクフィルムがセットとなっている場合）などが挙げられる。
【００６６】
上記制御装置２０は、ＩＤタグリーダ／ライタ３４で読取った識別情報に基づいて、装着されたプリント紙４２及びインクフィルムが、当該写真撮影プリント装置１において利用可能なものであるかを判定し、利用可能である場合にのみプリンタ３５を動作可能とする。すなわち、写真撮影プリント装置１において指定されているプリント紙４２及びインクフィルム以外は使用できないように設定されていることになる。
【００６７】
また、ＩＤタグ４１に記録されている用紙枚数情報に基づいて、プリント紙４２を使用するごとに用紙枚数をカウントダウンしていくことによって、残りの用紙枚数を把握することが可能となる。よって、残りの用紙枚数が少なくなってきた際に、これを画像表示部６１などによって警告するような構成としておけば、利用者の利用中に用紙切れを起こすというような不具合を回避することが可能となる。なお、用紙枚数をカウントする際には、ＩＤタグ４１に記録されている用紙枚数情報も書き換えるようにする。これにより、用紙を使い切った場合には、ＩＤタグ４１に記録されている用紙枚数情報も０となり、このＩＤタグ４１を無効にすることが可能となる。
【００６８】
また、ＩＤタグ４１に記録されている用紙種類情報や、インク固有の色情報を読み出すことによって、これらを考慮して画像データの色成分などを補正することにより、その用紙やインクフィルムに的確な画像出力を行うことが可能となる。
【００６９】
ＩＤタグ４１としては、無線によりデータ通信を行うことが可能な非接触型ＩＤタグ４１と、端子が設けられた接触型ＩＤタグ４１とがあり、ＩＤタグリーダ／ライタ３４としては、これらのどちらか一方あるいは両方に対応したものとなる。
【００７０】
なお、上記の例では、ＩＤタグ４１を利用して利用可能なプリント紙４２であるか否かを確認するようになっているが、これに限定するものではなく、例えば、プリント紙４２及びインクフィルムを梱包する梱包材などにプリントされているバーコードなどを利用して確認するような構成としてもよい。また、上記のプリント紙４２としては、通常の紙状媒体である紙状シートであってもよいし、粘着シート及び該粘着シールの粘着面に貼り付けられている剥離シートからなるシールシートであってもよい。
【００７１】
上記通信部２３は、外部装置と情報の送受を行うものである。具体的には、例えば、上記通信部２３は、カメラユニット２を用いて撮影した撮影画像を、上記利用者の携帯電話に送信してもよい。
【００７２】
ＲＯＭ２１は、制御装置２０を動作させるために必要な情報を記憶しているものである。また、上記ＲＡＭ２２は、上記制御装置２０が各種の制御を行う際に、一時的にデータを格納するものである。なお、上記ＲＡＭ２２は、後述する描画アプリケーション７１が画像編集作業を行う際に必要なデータを一時的に格納するものもある。
【００７３】
上記駆動制御部５０は、写真撮影プリント装置１に備えられた、背景カーテン４、照明装置１０、スピーカ５９、およびカメラユニット２の駆動を制御するものである。具体的には、上記駆動制御部５０は、背景カーテン４の駆動を制御するカーテン制御部５２、照明装置１０の駆動を制御する発光制御部５３、スピーカ５９の駆動を制御する音声出力部５４、およびカメラユニット２の駆動を制御する撮像ユニット制御部５５を備えている。そして、この駆動制御部５０は、制御装置２０からの命令に基づいて、上記各駆動装置を制御している。
【００７４】
上記描画アプリケーション７１は、操作入力部７３の操作に基づいて画像が形成された画像形成レイヤー（以下、落書きレイヤーと称する）を作成するものである。具体的には、上記描画アプリケーション７１は、利用者が、タッチペン１２やタッチパネル６等を用いて、画像を形成する際に、画像の描画および消去を含む画像編集を行うものである。
【００７５】
上記画像合成部７２は、カメラユニット２にて撮影された撮影画像と上記落書きレイヤーとを含む複数のレイヤーを合成して合成画像を作成するものである。本実施の形態にかかる写真撮影プリント装置１では、図５に示すように、画像合成部７２は、前景フレームを示す前景レイヤーと上記撮影画像を示す撮影画像レイヤーと、上記描画アプリケーション７１によって作成された落書きレイヤーと、背景を示す背景レイヤーとを合成して、合成画像を作成している。そして、この合成画像が上記プリンタ３５によって印刷されることになる。なお、上記背景レイヤーと落書きレイヤーとは同じものであってもよい。また、落書きレイヤーは、他のレイヤーを兼ねていてもよい。具体的には、落書きは前景レイヤーと落書きレイヤーとが同じもの（前景レイヤーに落書きを行うことになる）であってもよく、撮影画像レイヤーと落書きレイヤーとが同じものであってもよく、背景レイヤーと落書きレイヤーとが同じものであってもよい。
【００７６】
上記故障検出部８０は、タッチペン１２が故障しているか否かを検出するものである。この故障検出部８０は、タッチペン１２を介して入力された信号を監視することで、当該タッチペン１２が故障しているか否かを検出している。なお、上記故障検出部８０は、例えば、タッチペン１２に設けられていてもよい。
【００７７】
（全体処理の流れ）
次に、上記写真撮影プリント装置１における撮影から印刷までの一連の処理の流れについて、図６に示すフローチャートを参照しながら説明する。まず、ステップ１（以降、Ｓ１のように称する）において、課金処理部３３は、利用者による硬貨の投入があるか否かを判定する。具体的には、課金処理部３３は、利用者による硬貨投入口７から硬貨の投入があると判定すると（Ｓ１においてＹＥＳ）、制御装置２０を動作させる。そして次のＳ２に進む。一方、課金処理部３３は、硬貨の投入がないと判断すると（Ｓ１においてＮＯ）、硬貨の投入を待つ。すなわち、客待ち状態を維持する。なお、この客待ち状態では、例えば、タッチパネル６画面等を表示させておいてもよい。
【００７８】
Ｓ２では、制御装置２０が、駆動制御部５０を制御して撮影処理を行う。この撮影処理では、背景カーテン４の選択や実際の撮影処理などが行われる。ここで、利用者は、画像表示部６１に表示されるライブビュー画像を確認しながら、自分の立ち位置やポーズなどを考え、準備が整い次第、撮影開始指示を行うことによって撮影が行われる。
【００７９】
そして、Ｓ３において、制御装置２０は、Ｓ２における撮影開始からの経過時間が設定時間（ここでは、２分）を超えたか否かを判断する。そして、制御装置２０は、上記経過時間が設定時間を超えていないと判断すると（Ｓ３においてＮＯ）、Ｓ２における撮影処理を繰り返し行う。なお、ここでは、経過時間が２分をオーバーした場合に撮影処理の終了を行う設定になっているが、例えば、撮影枚数が累積限度なった場合や、利用者によって撮影処理の終了指示が出されることにより、撮影処理が終了されるようになっていてもよい。そして、制御装置２０は、撮影処理によって生成した撮影画像を、記憶装置３０に記憶する。
【００８０】
Ｓ３において、制御装置２０によって経過時間が２分を超えたと判断されると（Ｓ３においてＹＥＳ）、処理はＳ４に進む。
【００８１】
Ｓ４では、制御装置２０が、描画アプリケーション７１を制御して編集処理を行う。描画アプリケーション７１は、記憶装置３０から編集対象となる撮影画像、すなわち撮影処理によって作成された撮影画像を読み出し、画像表示部６１に画像編集するための編集用画像を表示する。この編集用画像に対して利用者は、タッチペン１２を用いて落書きなどの編集処理を行う。この編集用画像には、例えば、編集処理を行うためのツール類の選択領域が表示されてもよい。ツール類としては、例えば複数の種類からなるペンおよびその色、消しゴム、および複数のスタンプなどが挙げられる。
【００８２】
また、編集対象となる編集用画像には、編集対象となる画像を選択するための選択画像が表示されてもよい。利用者は、タッチペン１２によって選択画像をタッチすることによって、中央に編集対象として表示される画像を切換えることが可能となっていてもよい。なお、この選択画像は、上記の撮影処理において、複数回の撮影が行われた場合の各撮影時における画像に相当するものである。なお、描画アプリケーション７１による画像編集処理については後述する。
【００８３】
そして、Ｓ５において、制御装置２０は、Ｓ４における編集開始からの経過時間が設定時間（ここでは、２分）を超えたか否かを判断する。そして、上記制御装置２０が、上記経過時間が２分を超えていないと判断すると（Ｓ５においてＮＯ）、Ｓ４に戻って編集処理を継続する。なお、ここでは、経過時間が２分をオーバーした場合に撮影処理の終了を行う設定になっているが、例えば、利用者によって編集処理の終了指示が出されることにより、編集処理が終了されるようになっていてもよい。この経過時間がある一定時間になった時点で、まだ編集処理が行われていない選択画像があれば、タッチパネル６に「落書き忘れ」の画像データがある旨の表示を行ってもよい。または、編集処理の時間を、編集処理を行う対象の画像数で割って各画像に与えられた時間とし、各画像に与えられた時間が経過する毎に「次の画像の落書きをしない？」といった催促を画像表示部６１に表示させてもよい。上記のような表示により、利用者は、全ての画像に対して、編集処理忘れを防止することができる。また、利用者による編集処理の作業が終了すると、利用者の指示に基づいて、または自動的に、編集処理した各画像をどのような配置で、またどのような分割数で、プリント紙４２に印刷するのかが決定されてもよい。
【００８４】
Ｓ５において、制御装置２０によって経過時間が２分を超えたと判断されると（Ｓ５においてＹＥＳ）、制御装置２０は、上記Ｓ４の編集処理にて利用者に作成された落書きレイヤーと撮影画像と背景レイヤーと前景レイヤーとを画像合成部７２にて合成し、処理はＳ６に進む。
【００８５】
Ｓ６では、制御装置２０が、印刷処理を行う。具体的には、制御装置２０は、画像合成部７２にて合成された合成画像を、プリンタ３５を動作させてプリント紙４２に印刷する。そして、このプリント紙４２がプリント排出口９から排出される。
【００８６】
以上のシーケンスによって、写真撮影プリント装置１における一連の動作が終了する。
【００８７】
（情報入力装置１００）
ここで、上記写真撮影プリント装置１に設けられており、画像の編集作業を行う情報入力装置１００について説明する。なお、以下の説明では、タッチペン１２が２本（タッチペンＡ、Ｂ）設けられている例について説明するが、タッチペン１２の本数は、２本に限定されるものではなく、複数本設けられていればよい。
【００８８】
図１は、本実施の形態にかかる情報入力装置１００の概略の構成を示すブロック図である。上記情報入力装置１００は、入出力ドライバ７０と描画アプリケーション７１と故障検出部８０と有効範囲設定部８２と有効範囲記憶部８１Ａ、８２Ｂとタッチペン１２Ａ、１２Ｂを備えている。また、上記情報入力装置１００は、必要に応じて、画像表示部６１を備えていてもよい。
【００８９】
上記入出力ドライバ７０は、上記タッチペン１２と描画アプリケーション７１との間、および、画像表示部６１と描画アプリケーション７１との間の入出力信号を制御するものである。上記入出力ドライバ７０は、入力制御部７６Ａ、７６Ｂと出力制御部７９Ａ、７９Ｂとを備えている。なお、以下の説明では、特に、ＡとＢとを分ける必要があるもの以外については説明の便宜上ＡとＢとを区別することなく記載する。
【００９０】
上記入力制御部７６は、操作入力部７３（タッチペン１２）からの操作を受付けて、描画アプリケーション７１に送信するものである。そして、上記入力制御部７６は、入力受付部７７Ａ、７７Ｂと入力座標特定部７８Ａ、７８Ｂとを有している。そして、入力制御部７６のうち、入力制御部７６Ａは、タッチペン１２Ａの入力を受付けるものであり、入力制御部７６Ｂは、タッチペン１２Ｂの入力を受付けるものである。つまり、複数の入力制御部７６のそれぞれは、特定の（予め定められた）タッチペン１２の入力を受付けるものである。従って、タッチペン１２の数と対応するだけの入力制御部７６が設けられている。
【００９１】
上記入力受付部７７は、操作入力部７３の操作を受付けるものである。そして、上記入力座標特定部７８は、入力受付部７７にて受付けた操作から、座標を特定するものである。上記操作入力部７３は、ポインティングデバイスであり、上記入力座標特定部７８は、ユーザによってポインティングデバイスの操作が行われた入力座標を特定するものである。つまり、上記入力制御部７６は、ユーザが、上記ポインティングデバイスを用いて、画像表示部６１上を操作する際に、当該画像表示部６１の表示画面上での入力位置や座標を特定するものである。
【００９２】
そして、タッチペン１２Ａの操作は、入力受付部７７Ａおよび入力座標特定部７８Ａを介して描画アプリケーション７１に入力されることになる。また、そして、タッチペン１２Ｂの操作は、入力受付部７７Ｂおよび入力座標特定部７８Ｂを介して描画アプリケーション７１に入力されることになる。
【００９３】
上記出力制御部７９は、描画アプリケーション７１から画像表示部６１に対して出力される表示信号を制御するものである。また、画像表示部６１は、描画アプリケーション７１にて作成された画像情報を表示するものである。そして、タッチペン１２Ａの操作によって作成された画像は、出力制御部７９Ａを介して画像表示部６１Ａに表示される一方、タッチペン１２Ｂの操作によって作成された画像は、出力制御部７９Ｂを介して、画像表示部６１Ｂに表示される。
【００９４】
上記有効範囲記憶部８１は、タッチペン１２による入力（指定）を受付ける受付範囲（有効範囲）を記憶している。つまり、タッチペン１２は、上記受付範囲外に情報の入力を行った場合には、入力制御部は当該入力を無効とみなす。具体的には、例えば、有効範囲記憶部８１Ａは、タッチペン１２Ａからの入力を有効と判断する有効範囲を示す座標が記憶されており、当該座標の範囲外に、タッチペン１２Ａからの入力があった場合には、入力制御部７６Ａは、上記タッチペン１２Ａの入力は無効であるとみなす。
【００９５】
また、上記有効範囲記憶部８１に記憶されており受付範囲は、タッチペン１２の数だけ存在する。また、有効範囲記憶部８１Ａには、タッチペン１２Ａの有効範囲が記憶されており、有効範囲記憶部８１Ｂには、タッチペン１２Ｂの有効範囲が記憶されている。そして、通常には、上記タッチペン１２Ａの有効範囲とタッチペン１２Ｂとの有効範囲は異なっており、例えば、タッチペン１２Ａを用いて、タッチペンＢの有効範囲内に情報を入力しても、当該入力は無効とみなされる。
【００９６】
有効範囲設定部８２は、上記有効範囲記憶部８１に記憶されている有効範囲を変更するものである。より具体的には、上記有効範囲設定部８２は、上記故障検出部８０からの指示に基づいて、所定の有効範囲記憶部８１に記憶されている有効範囲を変更する。
【００９７】
このように、本実施の形態では、通常時には、タッチペン１２によって入力された画像は、当該タッチペンに関連付けられた画像表示部６１のみに表示されることになる。より詳細には、通常時には、タッチペン１２Ｂによって作成された画像が画像表示部６１Ａに表示されることはなく、また、タッチペン１２Ａによって作成された画像が画像表示部６１Ｂに表示されることもないように、描画アプリケーション７１および入出力ドライバ７０が制御を行っている。このように、本実施の形態では、複数のタッチペン１２における情報の入力は予め決められている画像表示部６１に表示されることになる。
【００９８】
ここで、上記タッチペン１２について説明する。図７は、上記タッチペン１２の概略の構成を示す斜視図である。
【００９９】
上記タッチペン１２は、画像表示部６１の表面に設けられた入力受付部７７と一対となって情報入力装置１００を構成している。そして、上記タッチペン１２の入力方式としては、例えば、電磁誘導方式および静電結合方式等が挙げられる。
【０１００】
上記電磁誘導方式のタッチペン１２は、内部にコイル等を含んで磁界を発生させるようになっており、タッチペンで上記画像表示部６１の表面に設けられた入力受付部７７をタッチすると、当該入力受付部７７側でその電磁エネルギーを受け取り、当該タッチペン１２によって指定（タッチ）された位置を検出している。
【０１０１】
また、静電結合方式のタッチペン１２は、入力受付部７７上のＸ方向およびＹ方向に走査する透明電極とタッチペン１２との間の電位の変化によってタッチペン１２の位置を検出している。
【０１０２】
これら、電磁誘導方式または静電結合方式のタッチペン１２は、入力受付部７７から所定の距離にある座標検出範囲に存在することで磁界の発生または電位の変化を検出し、タッチペン１２が実際に入力受付部７７に接していなくても、当該タッチペンの位置を検出することができる。
【０１０３】
そして、上記タッチペン１２には、図７に示すように、筒状のケースの先端にペンスイッチ９１を備えている。上記ペンスイッチ９１は、上記筒状のケースの先端にバネまたはゴム等によって伸縮が可能な検出軸を備えており、タッチペン１２で上記入力受付部７７が設けられた画像表示部６１等を押すと上記検出軸が縮む方向に動き、その結果ペンスイッチがＯＮとなり、タッチペン１２が押されたことを示す。一方、上記タッチペン１２を画像表示部６１等から離すとバネによる反発により検出軸が延び、その結果ペンスイッチがＯＦＦとなる。そして、上記筒状のケース内部には図示しない制御基板を備え、上記ペンスイッチのＯＮとＯＦＦとを検出している。
【０１０４】
そして、上記タッチペン１２は、上記ペンスイッチ９１と反対端に、情報入力装置１００本体の入力制御部７６と接続されているケーブル９２が設けられており、当該ケーブルを介して検出されたペンスイッチ９１のＯＮ／ＯＦＦを示すペンスイッチ信号が入力制御部７６に送信される。このようにして、上記入力制御部７６は、上記ペンスイッチ信号と、入力座標特定部７８とから、タッチペン１２による情報の入力を検出することができる。
【０１０５】
また、本実施の形態では、入力座標特定部７８は、タッチペン１２から取得した座標が、有効範囲記憶部８１に記憶されている受付範囲内であるか否かを判断し、上記座標が受付範囲内である場合のみ、当該座標情報を描画アプリケーション７１に送信している。これにより、タッチペン１２が上記受付範囲外で操作されていた場合には、上記入力制御部７６は、上記操作を受付けない。
【０１０６】
また、本実施の形態では、図７に示すように、タッチペン１２の本体部にユーザの操作を受付けるボタン９０を備えている。そして、上記ボタン９０に、単位画像の消去機能（消しゴム機能）が割り当てられている。そして、タッチペン１２に備えられたボタン９０をユーザが押すことで、消去操作が実行される。具体的には、上記タッチペン１２に備えられたボタン９０をユーザが押しながら、画像表示部６１上に表示されている画像に当該タッチペン１２を接触させることで、上記画像が消去される。なお、上記ボタン９０に上記ペンスイッチ９１の機能を割り当ててもよい。具体的には、例えば、タッチペン１２の先端にペンスイッチ９１が設けられていない場合、または、ペンスイッチ９１が故障した場合に、上記ボタン９０を押すことにより、ＯＮ状態つまり、情報の入力が可能な状態にしてもよい。つまり、上記入力制御部７６は、上記ボタン９０の押圧状態によって、ＯＮ状態とＯＦＦ状態とを判断してもよい。
【０１０７】
そして、本実施の形態では、通常時には、それぞれのタッチペン１２Ａ、１２Ｂからの入力を受付ける受付範囲は、互いに異なっている。従って、異なるタッチペン１２にて、入力を行っても上記入力は検知されない。
【０１０８】
一方、本実施の形態では、特定のタッチペン１２が故障した場合には、入力制御部７６による受付範囲を変更している。これについて以下に説明する。
【０１０９】
故障検出部８０が、例えば、タッチペン１２Ａが故障したことを検出した場合、当該故障検出部８０は、タッチペン１２Ａが故障した旨を有効範囲設定部８２に通知する。なお、上記故障検出部８０における故障の検出方法としては、例えば、ユーザによってタッチペン１２が操作されていないにもかかわらず、連続して上記ペンスイッチ９１のＯＮになっている時間が所定時間以上である場合に故障していると判断すればよい。
【０１１０】
そして、上記故障検出部８０からタッチペン１２Ａが故障している旨の通知を受信した有効範囲設定部８２は、故障したタッチペン１２Ａ以外の他のタッチペン（ここでは、タッチペン１２Ｂ）の受付範囲を変更する。具体的には、上記有効範囲設定部８２は、有効範囲記憶部（ここでは、有効範囲記憶部８１Ｂ）に格納されている上記受付範囲（タッチペン１２Ｂの受付範囲）を変更する。より具体的には、上記有効範囲設定部８２は、タッチペン１２Ｂの受付範囲を、上記タッチペン１２Ａの受付範囲の一部が少なくとも含まれるように変更する。
【０１１１】
これにより、タッチペン１２Ａのみが情報の入力が可能であった受付範囲を、タッチペン１２Ｂの操作により情報の入力を行うことを可能にしている。
【０１１２】
図８は、画像編集処理を説明するフローチャートである。なお、以下の説明では、タッチペン１２Ａが故障した場合について説明する。
【０１１３】
まず、ユーザは、タッチペン１２を用いて、描画処理または消去処理を行う（Ｓ１０）。具体的には、入力制御部７６は、ユーザによるタッチペン１２Ａの操作を検出して、受付範囲内であると判断すると、その入力情報（座標）を描画アプリケーション７１に通知する。そして、上記描画アプリケーション７１は、上記入力情報に基づいて、上記落書きレイヤーを作成する。そして、作成された落書きレイヤーは、カメラユニット２によって撮影された撮影画像とともに、出力制御部７９によって読み出され、画像表示部６１に画像が表示される。
【０１１４】
また、消去処理を行う場合には、上記描画アプリケーション７１は、入力制御部７６から消去すべき領域に関する座標情報を取得して、上記落書きレイヤーに書き込まれている上記座標情報と対応する画像データを消去する。この、描画処理および消去処理は、ユーザによって切換えられる。
【０１１５】
次に、上記故障検出部８０は、上記入力制御部７６を常に監視しており、タッチペン１２Ａが操作されているか否かを判定する（Ｓ１１）。つまり、ユーザがタッチペン１２Ａを操作している間、換言すると、入力座標特定部７８によって特定されたタッチペン１２Ａの座標が常に変化している間は、ユーザによる操作が行われていると判断する。そして、上記タッチペン１２Ａの座標が一定時間変化していないと判断すると、故障検出部８０は、ユーザはタッチペン１２Ａを用いて情報の入力を行っていないと判断する。
【０１１６】
次に、ステップＳ１１にて、タッチペン１２Ａが操作されていないと判断する（Ｓ１１にてＮｏ）と、上記故障検出部８０は、タッチペン１２Ａに設けられているペンスイッチ９１がＯＮになっているか否かを判断する（Ｓ１２）。より具体的には、上記故障検出部８０は、上記入力受付部７７に入力されるペンスイッチ信号を監視しており、当該ペンスイッチ９１がＯＮになっているか否かを判断する。
【０１１７】
そして、上記ペンスイッチ９１がＯＮになっていると判断する（Ｓ１２にてＹｅｓ）と、上記故障検出部８０は、図示しないタイマーによって、ペンスイッチ９１のＯＮ状態の時間をカウントする。
【０１１８】
そして、故障検出部８０は、上記ＯＮ状態が所定の時間（ここでは、５分）を超えたか否かを判断する（Ｓ１３）。そして、上記ステップＳ１３にて、上記ＯＮ状態が５分を経過したと判断すると、故障検出部８０は、タッチペン１２Ａが故障していると判断する（Ｓ１４）。そして、故障検出部８０は、有効範囲設定部８２に、タッチペン１２（ここでは、タッチペン１２Ａ）が故障している旨を通知する。
【０１１９】
次に、故障検出部８０からタッチペン１２Ａが故障している旨の通知を受信した有効範囲設定部８２は、故障しているタッチペン１２Ａ以外のタッチペン（ここでは、タッチペン１２Ｂ）の受付範囲を変更する（Ｓ１５）。具体的には、有効範囲設定部８２は、有効範囲記憶部８１Ｂに格納されているタッチペン１２Ｂの受付範囲を、上記タッチペン１２Ａの有効範囲を含むように変更する。そして、ユーザによって編集処理を終了するか否かの選択が行われ（Ｓ１６）、まだ編集処理を終了する場合にはＳ１０に戻る。
【０１２０】
なお、上記ステップＳ１１において、タッチペン１２Ａが操作されていると判断する（Ｓ１１にてＹｅｓ）と、処理はステップＳ１０に戻る。また、上記ステップＳ１２において、ペンスイッチ９１がＯＮになっていないと判断する（Ｓ１２にてＮｏ）と、処理はステップＳ１０に戻る。また、上記ステップＳ１３において、ＯＮ状態が所定の時間を超えていないと判断すると、上記故障検出部８０は、ユーザによってタッチペン１２が操作されたか否かを判断する（Ｓ１７）。具体的には、Ｓ１１と同じ判断により、タッチペン１２が操作されたか否かを判断する。そして、上記ステップＳ１７にて、タッチペン１２が操作されたと判断すると、処理はＳ１０に戻り、操作されていないと判断するとステップＳ１３の処理に戻る。
【０１２１】
このようにして、本実施の形態では、故障検出部８０がタッチペンの故障を検出すると、有効範囲設定部８２が故障したタッチペン以外のタッチペンからの情報の入力を受付けることができる受付範囲を変更している。
【０１２２】
次に、受付範囲を変更する変更処理を画像表示部６１に表示される表示画面に基づいて説明する。
【０１２３】
図９（ａ）〜（ｃ）は、上記変更処理が行われる際の画像表示部６１とタッチペン１２との関係を示す表示画面である。
【０１２４】
上記図９（ａ）は、タッチペン１２が故障する前、すなわち、通常時におけるタッチペン１２と表示画面との関係を示す図面である。図９（ａ）に示すように、画像表示部６１には、２つの表示画面６２Ａ、６２Ｂ（図１における画像表示部６１６１ＡＢ：表示領域）が示されている。そして、２本のタッチペン１２のうち、タッチペン１２Ａのみが表示画面６２Ａに対して情報（画像）を入力でき、タッチペン１２Ｂのみが表示画面６２Ｂに対して情報を入力できる。具体的には、表示画面６２Ａにおけるユーザによって情報の入力が可能な受付範囲（座標）が、有効範囲記憶部８１Ａに記憶されており、タッチペン１２Ａの操作は、上記表示画面６２Ａ上のみを有効に設定している。換言すると、入力制御部７６Ａは、表示画面６２Ａ上におけるタッチペン１２Ａの操作を受付ける。また、タッチペン１２Ｂについても同様である。
【０１２５】
従って、図９（ａ）に示すように、タッチペン１２Ａは、表示画面６２Ａのみに情報の入力が可能であり、タッチペン１２Ａを用いて表示画面６２Ｂに情報の入力を行った場合には上記入力は無効と判断される。また、タッチペン１２Ｂについても同様であり、タッチペン１２Ｂは、表示画面６２Ｂのみに情報の入力が可能であり、表示画面６２Ａに対しては情報の入力を行うことができない。
【０１２６】
次に、図９（ｂ）は、タッチペン１２Ｂが故障した場合におけるタッチペン１２と表示画面との関係を示す図面である。図９（ｂ）に示すように、故障検出部８０が、タッチペン１２Ｂの故障を検出した場合、有効範囲設定部８２は、上記タッチペン１２Ａの受付範囲を変更する。これにより、タッチペン１２Ａは、表示画面６２Ｂに対しても情報の入力を行うことができる。
【０１２７】
なお、上記の説明では、タッチペン１２Ａによって情報の入力が行える受付範囲を、表示画面６２Ｂを含む領域に拡張した例について説明しているが、例えば、受付範囲とともに表示画面そのものを変更してもよい。
【０１２８】
図９（ｃ）は、タッチペン１２Ｂが故障した他の場合におけるタッチペン１２と表示画面との関係を示す図面である。上記図９（ｃ）に示すように、故障検出部８０が、タッチペン１２Ｂの故障を検出すると、表示画面および受付範囲を変更している。具体的には、故障したタッチペン１２Ｂのみが情報の入力を行えるように設定されている表示画面６２Ｂを消去して、タッチペン１２Ａのみが情報の入力を行えるように設定されている表示画面６２Ａだけを画像表示部６１に拡大して表示してもよい。この場合における処理を以下に説明する。
【０１２９】
まず、故障検出部８０からタッチペン１２Ｂが故障した旨を受信した有効範囲設定部８２は、故障していないタッチペン１２Ａの受付範囲とを変更する。この受付範囲の設定の仕方については、例えば、予め設定された受付範囲に設定すればよい。そして、有効範囲設定部８２は、タッチペン１２Ａの受付範囲を変更するとともに、上記変更した受付範囲を描画アプリケーション７１に通知する。上記受付範囲を受信した描画アプリケーション７１は、当該受付範囲に基づいて画像表示部６１に表示すべき画像を変更する。そして、図９（ｃ）に示されるような、表示画面およびタッチペンの受付範囲が画像表示部６１に表示される。
【０１３０】
以上のように、本実施の形態にかかる情報入力装置１００は、複数の画像表示部６１を有する表示装置における当該複数の画像表示部６１上の任意の点を指定する複数のタッチペン１２と、上記複数の画像表示部６１のそれぞれに割り当てられているとともに、当該表示領域における所定の受付範囲内で、上記タッチペン１２による上記任意の点の指定を受付ける複数の入力制御部７６とを備え、上記複数の入力制御部７６のそれぞれは、上記指定を受付けるタッチペン１２が定められており、上記タッチペン１２の故障を検出する故障検出部８０と、上記故障検出部８０によって特定のタッチペン１２の故障が検出されると、上記特定のタッチペン１２以外の他のタッチペン１２からの指定を受付ける入力制御部７６の上記受付範囲を、故障が検出された特定のタッチペン１２からの指示を受付ける受付範囲の少なくとも一部を含むように、変更する有効範囲設定部８２とを備える構成である。
【０１３１】
上記の構成によれば、タッチペン１２によって表示領域の任意の点が指定されると、上記入力制御部７６は、上記表示領域における所定の受付範囲内で、上記タッチペン１２による指定を受付ける。換言すると、当該入力制御部７６には、当該タッチペン１２による表示領域上の指定を受付ける受付範囲が予め定められている。また、上記入力制御部７６は、複数のタッチペン１２のうち、特定のタッチペン１２からの指定のみを受付ける。
【０１３２】
そして、特定のタッチペン１２が故障した場合には、有効範囲設定部８２は、上記特定のタッチペン１２以外の他のタッチペン１２からの指定を受付ける入力制御部７６の受付範囲を変更する。つまり、特定のタッチペン１２が故障した場合には、有効範囲設定部８２は、故障していないタッチペン１２からの指定を受付ける入力制御部７６（故障したタッチペン１２からの指定を受付ける入力制御部７６とは異なる入力制御部７６）の受付範囲を変更する。
【０１３３】
つまり、複数のタッチペン１２のそれぞれが、複数の入力制御部７６にそれぞれ割り当てられており、特定のタッチペン１２が故障した場合には、他のタッチペン１２の指定を受付ける入力制御部７６の受付範囲を変更している。
【０１３４】
従って、故障したタッチペン１２からの入力（指定）を受付ける入力制御部７６の受付範囲に相当する領域を、他のタッチペン１２による指定を受付けることができるように、故障していないタッチペン１２による指定を受付ける入力制御部７６の受付範囲を変更することができる。つまり、特定のタッチペン１２が故障した場合でも、当該特定のタッチペン１２に割り当てられている受付範囲に相当する領域を、他のタッチペン１２を用いて指定することができる。
【０１３５】
これにより、特定のタッチペン１２が故障したことにより、当該特定のタッチペン１２のみの指定を受付ける入力制御部７６と対応している表示領域に対して、情報の入力（指定）ができないという事態を防止することができる。
【０１３６】
なお、上記受付範囲は、上記画像表示部６１内であればよく、例えば、画像表示部６１の一部のみを受付範囲に設定してもよく、画像表示部６１全てを受付範囲としてもよい。
【０１３７】
本実施の形態にかかる情報入力装置１００において、上記タッチペン１２は、スイッチを備えているとともに、上記入力制御部７６は、当該スイッチのＯＮ／ＯＦＦによって上記指定の制御を行うタッチペンであってもよい。
【０１３８】
上記の構成によれば、上記タッチペン１２がスイッチを備えたタッチペン１２であるので、画像表示部６１の任意の点の指定を簡単に行うことができる。
【０１３９】
本実施の形態にかかる情報入力装置１００において、上記有効範囲設定部８２は、故障が検出された特定のタッチペン１２からの指示を受付ける受付範囲の少なくとも一部を含むように、上記他のタッチペン１２による上記受付範囲を変更する構成であってもよい。
【０１４０】
上記の構成によれば、上記有効範囲設定部８２は、故障していない他のタッチペン１２によって指定可能な受付範囲を、故障したタッチペン１２の入力（指定）を受付ける受付範囲が含まれるように変更している。これにより、故障したタッチペン１２のみが指定可能であった受付範囲が設定されている画像表示部６１に対して、他のタッチペン１２による指定を可能にすることができる。
【０１４１】
本実施の形態にかかる写真撮影プリント装置１は、上記課題を解決するために、上記情報入力装置１００と、複数の画像表示部６１を有する表示装置と、カメラユニット２によって得られた撮影画像とともに、情報入力装置１００を介して入力された情報を上記複数の画像表示部６１に表示する出力制御部７９と、上記情報入力装置１００にて入力された画像と上記撮影画像とを合成する画像合成部７２とを備えることを特徴としている。
【０１４２】
上記表示装置と情報入力装置１００とを用いて、ユーザは画像を作成することができる。具体的には、上記表示装置に撮影画像を表示して、その撮影画像に基づいて情報入力装置１００を用いて画像を作成している。そして、情報入力装置１００を介して入力された画像とカメラユニット２によって得られた撮影画像とを合成することにより、出力（印刷）すべき画像を生成することができる。
【０１４３】
上記の構成とすることにより、例えば、タッチペン１２を用いて画像表示部６１に表示された撮影画像に対して落書きする際に、タッチペン１２が故障した場合であっても、他のタッチペン１２を用いて故障したタッチペン１２の代わりに操作することができるので、利便性を向上させることができる。つまり、タッチペン１２が故障しても、他のタッチペン１２を用いて情報の入力を行うことができるので、写真撮影プリント装置１を停止させてメンテナンスを行わなくても、利用者の所望する操作を行うことができる。
【０１４４】
本実施の形態にかかる写真撮影プリント装置１は、上記故障検出部８０によって特定のタッチペン１２の故障が検出されると、当該特定のタッチペン１２が故障している旨を報知するスピーカ５９および／または画像表示部６１を備えていてもよい。
【０１４５】
上記の構成によれば、タッチペン１２が故障した場合に、報知することができるので、タッチペン１２の故障を迅速に把握することができる。
【０１４６】
本実施の形態にかかる写真撮影プリント装置１において、出力制御部７９は、上記有効範囲設定部８２によって変更された受付範囲と同じ大きさになるように、上記画像表示部６１における情報の表示範囲を変更する構成であってもよい。
【０１４７】
上記の構成によれば、上記タッチペン１２を介して入力された情報が、変更された受付範囲となるように表示している。これにより、例えば、受付範囲が広がった場合でも、当該受付範囲に対応するように撮影画像と情報入力装置１００を介して入力された情報とを表示することができる。
【０１４８】
なお、上記の説明では、入力手段としてタッチペン１２を例に説明しているが、上記入力手段としては、例えば、タッチペン以外にも、例えば、マウス、およびトラックボール等が挙げられる。
【０１４９】
また、上記故障検出部８０は、タッチペン１２が故障したことを検出すると、描画アプリケーション７１を動作させて、タッチペン１２が故障している旨を画像表示部６１に表示してもよい。また、上記の他にも、例えば、スピーカ５９を動作させて、タッチペン１２が故障している旨を報知してもよい。
【０１５０】
また、例えば、１つのモニタ（表示装置）に対して２つ（または複数）の表示領域（画像表示部６１）を有しており、それぞれの表示領域に画像を表示する場合、１つのタッチペン１２が故障すると、故障していないタッチペン１２によって情報を入力する画面のみを表示するように出力制御部７９は、描画アプリケーション７１によって作成される画像を当該画像表示部６１に表示させてもよい。
【０１５１】
また、例えば、１つのモニタに対して２つの表示領域を有し、それぞれに画像を表示する場合であって、一方の表示領域に情報を入力することができるタッチペン１２が故障した場合、他方の表示領域に情報を入力することができるタッチペン１２が、両方の表示領域に対して情報を入力できるよう、有効範囲設定部８２が有効範囲記憶部８１に記憶されている受付範囲を変更してもよい。
【０１５２】
また、２本以上のタッチペン１２が情報入力装置１００に備えられている場合、入力制御部７６は、１本単位でタッチペン１２のＯＮ／ＯＦＦの状態を切換えてもよい。つまり、入力制御部７６によって、タッチペン１２の物理的な故障の有無にかかわらず、タッチペン１２からの入力を制御してもよい。
【０１５３】
また、カメラユニット２によって撮影された撮影画像に対して２つの情報入力装置１００を用いて落書き（情報の入力）を行う場合、一方の情報入力装置１００のタッチペン１２が故障した場合には、残りの情報入力装置１００だけが落書きを行えるように制御してもよい。
【０１５４】
また、タッチペン１２が故障したことを検出した場合には、上記入力制御部は、例えば、ユーザの指の操作による情報の入力受付けるタッチパネルに切換えてもよい。
【０１５５】
また、タッチペン１２にボタン９０が設けられている場合であって、当該タッチペン１２が故障した場合には、当該ボタン９０に割り当てられている機能を表示領域に表示させて、他のタッチペン１２の操作に基づいて上記機能が実現されるように設定してもよい。
【０１５６】
また、本実施の形態にかかる情報入力装置は、複数の表示領域を有する表示装置における当該複数の表示領域上の任意の点を指定する複数の入力手段と、上記複数の表示領域のそれぞれに割り当てられているとともに、当該表示領域における所定の受付範囲内で、上記入力手段による上記任意の点の指定を受付ける複数の受付手段とを備え、上記複数の受付手段のそれぞれには、上記指定を受付ける入力手段が定められており、上記入力手段の故障を検出する検出手段と、上記検出手段によって特定の入力手段の故障が検出されると、上記特定の入力手段以外の他の入力手段からの指定を受付ける受付手段の上記受付範囲を変更する受付範囲変更手段とを備え、上記受付範囲変更手段は、故障が検出された特定の入力手段からの指示を受付ける受付範囲の少なくとも一部を含むように、上記他の入力手段からの指定を受付ける受付手段の受付範囲を変更するものである構成であってもよい。
【０１５７】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１５８】
最後に、写真撮影プリント装置１、および情報入力装置１００の各ブロックは、ハードウェアロジックによって構成してもよいし、次のようにＣＰＵを用いてソフトウェアによって実現してもよい。
【０１５９】
すなわち、写真撮影プリント装置１、および情報入力装置１００は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである写真撮影プリント装置１、および情報入力装置１００の制御プログラムのプログラムコード（実行形式プログラム、中間コードプログラム、ソースプログラム）をコンピュータで読取り可能に記録した記録媒体を、上記写真撮影プリント装置１、および情報入力装置１００に供給し、そのコンピュータ（またはＣＰＵやＭＰＵ）が記録媒体に記録されているプログラムコードを読み出し実行することによっても、達成可能である。
【０１６０】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１６１】
また、写真撮影プリント装置１、および情報入力装置１００を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Bluetooth（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１６２】
このように本明細書において、手段とは必ずしも物理的手段を意味するものではなく、各手段の機能がソフトウェアによって実現される場合も包含する。さらに、一つの手段の機能が、二つ以上の物理的手段により実現されても、もしくは、二つ以上の手段の機能が、一つの物理的手段により実現されてもよい。
【産業上の利用可能性】
【０１６３】
本発明にかかる情報入力装置は、タッチパネルやタッチペン等の座標入力装置により画像を描画する装置に特に好適である。
【図面の簡単な説明】
【０１６４】
【図１】本実施の形態にかかる情報入力装置の概略の構成を示すブロック図である。
【図２】本実施の形態に係る写真撮影プリント装置の概略の構成を示す斜視図である。
【図３】上記写真撮影プリント装置の概略の構成を示す側面図である。
【図４】上記写真撮影プリント装置の概略の構成を示すブロック図である。
【図５】合成画像を構成しているレイヤーを示す図面である。
【図６】写真撮影プリント装置における撮影から印刷までの一連の処理の流れを示すフローチャートである。
【図７】上記タッチペンの概略の構成を示す斜視図である。
【図８】画像編集処理を説明するフローチャートである。
【図９】（ａ）〜（ｃ）は、上記変更処理が行われる際の画像表示部とタッチペンとの関係を示す表示画面である。
【符号の説明】
【０１６５】
１  写真撮影プリント装置
２  カメラユニット（撮影手段）
６  タッチパネル
１２Ａ、１２Ｂ  タッチペン（入力手段）
２０  制御装置
５９  スピーカ（報知手段）
６１Ａ、６１Ｂ  画像表示部（表示領域）（報知手段）
６２Ａ、６２Ｂ  表示画面（表示領域）
７０  入出力ドライバ
７１  描画アプリケーション
７２  画像合成部
７３  操作入力部
７６Ａ、７６Ｂ  入力制御部（受付手段）
７７Ａ、７７Ｂ  入力受付部
７８  入力座標特定部
７８Ａ、７８Ｂ  入力座標特定部
７９Ａ、７９Ｂ  出力制御部（表示制御手段）
８０  故障検出部（検出手段）
８１Ａ、８１Ｂ  有効範囲記憶部
８２  有効範囲設定部（受付範囲変更手段）
９０  ボタン
９１  ペンスイッチ
９２  ケーブル
１００  情報入力装置
【図１】
2006293434.tif 000003
【図２】
2006293434.tif 000004
【図３】
2006293434.tif 000005
【図４】
2006293434.tif 000006
【図５】
2006293434.tif 000007
【図６】
2006293434.tif 000008
【図７】
2006293434.tif 000009
【図８】
2006293434.tif 000010
【図９】
2006293434.tif 000011